(57)【要約】  本発明は、ＥＰＤＣＣＨで構成されたユーザ機器において使用するための方法であって、ＥＰＤＣＣＨにおけるＵＥ特有の探索空間に対応するダウンリンク無線リンク品質を測定するステップと、測定されたダウンリンク無線リンク品質を示すためにＥＰＤＣＣＨ  ＣＱＩをサービング基地局に送信するステップとを含む方法を提供する。本発明は、さらに、ＥＰＤＣＣＨで構成されたユーザ機器において使用するための方法であって、ＥＰＤＣＣＨにおけるＵＥ特有の探索空間に対応するダウンリンク無線リンク品質を測定するステップと、測定されたダウンリンク無線リンク品質が所定の条件を満たしていないとき、ＥＰＤＣＣＨ障害インジケータをサービング基地局に送信するステップとを含む方法を提供する。本発明は、さらに、ＥＰＤＣＣＨで構成されたユーザ機器において使用するための方法であって、ＥＰＤＣＣＨが構成されているフレーム上でＰＤＣＣＨにおける共通の探索空間に対応するダウンリンク無線リンク品質を測定するステップと、測定されたダウンリンク無線リンク品質が所定の条件を満たしていないとき、無線リンク障害をトリガするステップとを含む方法を提供する。
2016504842.tif 000002
【特許請求の範囲】
【請求項１】
ＥＰＤＣＣＨで構成されたユーザ機器において使用するための方法であって、
ＥＰＤＣＣＨにおけるＵＥ特有の探索空間に対応するダウンリンク無線リンク品質を測定するステップと、
前記測定されたダウンリンク無線リンク品質を示すためにＥＰＤＣＣＨ  ＣＱＩをサービング基地局に送信するステップと
を含む方法。
【請求項２】
前記ＥＰＤＣＣＨ  ＣＱＩは、ＰＲＢ対の望ましい数と、ＰＲＢの位置と、ｅＣＣＥの望ましい集約レベルとを含む、請求項１に記載の方法。
【請求項３】
ＥＰＤＣＣＨで構成されたユーザ機器において使用するための方法であって、
ＥＰＤＣＣＨにおけるＵＥ特有の探索空間に対応するダウンリンク無線リンク品質を測定するステップと、
前記測定されたダウンリンク無線リンク品質が所定の条件を満たしていないとき、ＥＰＤＣＣＨ障害インジケータをサービング基地局に送信するステップと
を含む方法。
【請求項４】
ＥＰＤＣＣＨで構成されたユーザ機器において使用するための方法であって、
ＥＰＤＣＣＨが構成されているフレーム上でＰＤＣＣＨにおける共通の探索空間に対応するダウンリンク無線リンク品質を測定するステップと、
前記測定されたダウンリンク無線リンク品質が所定の条件を満たしていないとき、無線リンク障害をトリガするステップと
を含む方法。
【請求項５】
基地局において使用するための方法であって、
ＥＰＤＣＣＨで構成されたユーザ機器から、前記ユーザ機器によって測定されるダウンリンク無線リンク品質を示すＥＰＤＣＣＨ  ＣＱＩを受信するステップ
を含む方法。
【請求項６】
基地局において使用するための方法であって、
ＥＰＤＣＣＨで構成されたユーザ機器からＥＰＤＣＣＨ障害インジケータを受信するステップ
を含む方法。
【請求項７】
ＥＰＤＣＣＨで構成されたユーザ機器において使用するための装置であって、
ＥＰＤＣＣＨにおけるＵＥ特有の探索空間に対応するダウンリンク無線リンク品質を測定するように構成された測定ユニットと、
前記測定されたダウンリンク無線リンク品質を示すためにＥＰＤＣＣＨ  ＣＱＩをサービング基地局に送信するように構成された送信ユニットと
を備える装置。
【請求項８】
前記ＥＰＤＣＣＨ  ＣＱＩは、ＰＲＢ対の望ましい数と、ＰＲＢの位置と、ｅＣＣＥの望ましい集約レベルとを含む、請求項１に記載の装置。
【請求項９】
ＥＰＤＣＣＨで構成されたユーザ機器において使用するための装置であって、
ＥＰＤＣＣＨにおけるＵＥ特有の探索空間に対応するダウンリンク無線リンク品質を測定するように構成された測定ユニットと、
前記測定されたダウンリンク無線リンク品質が所定の条件を満たしていないとき、ＥＰＤＣＣＨ障害インジケータをサービング基地局に送信するように構成された送信ユニットと
を備える装置。
【請求項１０】
ＥＰＤＣＣＨで構成されたユーザ機器において使用するための装置であって、
ＥＰＤＣＣＨが構成されているサブフレーム上のＰＤＣＣＨにおける共通の探索空間に対応するダウンリンク無線リンク品質を測定するように構成された測定ユニットと、
前記測定されたダウンリンク無線リンク品質が所定の条件を満たしていないとき、無線リンク障害をトリガするように構成されたトリガ・ユニットと
を備える装置。
【請求項１１】
基地局において使用するための装置であって、
ＥＰＤＣＣＨで構成されたユーザ機器から、ダウンリンク無線リンク品質を示すＥＰＤＣＣＨ  ＣＱＩを受信するように構成された受信ユニット
を備える装置。
【請求項１２】
基地局において使用するための装置であって、
ＥＰＤＣＣＨで構成されたユーザ機器からＥＰＤＣＣＨ障害インジケータを受信するように構成された受信ユニット
を備える装置。
【発明の詳細な説明】
【技術分野】
【０００１】
本出願は、通信システムに関する。
【背景技術】
【０００２】
強化型物理ダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、３ＧＰＰリリース１１における新しい作業項目であり、現在、無線リンク・モニタリング（ＲＬＭ：Ｒａｄｉｏ  Ｌｉｎｋ  Ｍｏｎｉｔｏｒｉｎｇ）が、解決されるべき主要課題として識別されている。
【０００３】
３ＧＰＰリリース８以来、ＲＬＭは、サービング・セルのダウンリンク無線リンク品質を測定するために、セル特有の基準信号（ＣＲＳ：Ｃｅｌｌ−ｓｐｅｃｉｆｉｃ  Ｒｅｆｅｒｅｎｃｅ  Ｓｉｇｎａｌ）に基づいてダウンリンク無線リンク品質を監視するユーザ機器（ＵＥ）によって決定される。このＵＥの動作と、詳細なプロシージャとは、ＴＳ３６．２１３の中で説明される。
【０００４】
既存のリリース１０においては、共通の探索空間（ＣＳＳ：Ｃｏｍｍｏｎ  Ｓｅａｒｃｈ  Ｓｐａｃｅ）、およびＵＥ特有の探索空間（ＵＳＳ：ＵＥ−ｓｐｅｃｉｆｉｃ  Ｓｅａｒｃｈ  Ｓｐａｃｅ）が、ＲＬＦについてＰＤＣＣＨにおいて監視される。ＵＳＳおよびＣＳＳを復号するＵＥが、仮説に基づいた送信のＰＤＣＣＨ  ＢＬＥＲを形成する場合、リリース１０挙動に従う。
【０００５】
ＥＰＤＣＣＨの新しく合意された設計を用いて、ＵＥは、ＥＰＤＣＣＨのために構成されたサブフレームにおいて、ＥＰＤＣＣＨ上のＵＳＳと、ＰＤＣＣＨ上のＣＳＳとを監視する。また、ＵＥは、ＰＤＣＣＨのために構成されたサブフレームにおいて、レガシーＰＤＣＣＨにおけるＣＳＳとＵＳＳを共に引き続き監視および復号する。
【０００６】
ＥＰＤＣＣＨが構成されるとき、１つのアプローチは、できる限り多くのリリース１０のオペレーションとの共通性を維持するように、ＰＤＣＣＨ上でＵＥ  ＲＬＦを完全に設計することである。しかしながら、我々は、ＥＰＤＣＣＨで新しい以下のシナリオを有している。
・  ＰＤＣＣＨが失敗し、ＥＰＤＤＣＨが合格する：ＰＤＣＣＨを失敗させることは、関連のあるシステム情報などについての絶対不可欠なＤＣＩを搬送するＣＳＳについての失敗した復号をもたらすことになるので、追加の措置をとる必要はない。したがって、リリース１０のＲＬＦの動作と同様に、無線リンク障害（ＲＬＦ：Ｒａｄｉｏ  Ｌｉｎｋ  Ｆａｉｌｕｒｅ）が宣言される。
・  ＰＤＣＣＨが合格し、ＥＤＰＣＣＨが失敗する：ＥＰＤＣＣＨは、ｅノードＢ（ｅＮｏｄｅＢ）のスケジューリング・プロセスの影響を受けるＰＤＳＣＨのように取り扱われるので、これは、直接的な問題解決手法であったであろう。しかしながら、極端な場合には、ｅノードＢは、ＥＰＤＣＣＨが失敗することを知らないので、長時間にわたって成功できずにＥＰＤＣＣＨによってＵＥを常に再スケジュールする可能性がある。
【０００７】
したがって、第２のシナリオの場合には、ＥＰＤＣＣＨのダウンリンク無線リンク状態をフィードバックする問題解決手法を提案する必要性がある。
【先行技術文献】
【非特許文献】
【０００８】
【非特許文献１】３ＧＰＰリリース１１
【非特許文献２】３ＧＰＰリリース８
【非特許文献３】ＴＳ３６．２１３
【非特許文献４】リリース１０
【発明の概要】
【発明が解決しようとする課題】
【０００９】
本発明の主要な着想は、ＥＰＤＣＣＨで構成されたＵＥでは、ＵＥは、ＥＰＤＣＣＨにおけるＵＳＳを復号し（すなわち、ＥＰＤＣＣＨにおけるＵＳＳに対応するダウンリンク無線リンク品質を測定しており）、また測定されたダウンリンク無線リンク品質を示すためにＥＰＤＣＣＨ  ＣＱＩをサービング基地局に送信し、あるいは測定されたダウンリンク無線リンク品質が所定の条件を満たしていないとき、ＥＰＤＣＣＨ障害インジケータをサービング基地局に送信することである。
【００１０】
ＵＥからのＥＰＤＣＣＨ  ＣＱＩを用いて、基地局は、現在のダウンリンク無線リンク品質を知り、次いで、必要に応じてリンク適応を実行し、または他のＥＰＤＣＣＨ構成パラメータを調整することができる。同様に、ＵＥからのＥＰＤＣＣＨ障害インジケータを用いて、基地局は、現在のダウンリンク無線リンク品質があまりよくないことを知り、その結果として、ＥＰＤＣＣＨ送信を再構成することができる。
【００１１】
代替的な一実施形態においては、ＵＥは、ＰＤＣＣＨにおけるＣＳＳをただ復号し、ＰＤＣＣＨにおけるＣＳＳの復号が失敗したとき、ＲＬＦをトリガすることができる。この場合には、ＵＳＳの復号の失敗は、ＲＬＦをもたらすことはない。
【００１２】
ＥＰＤＣＣＨで構成されなかったＵＥでは、ＣＳＳとＵＳＳを共に復号するレガシー動作は、維持される可能性がある。
【課題を解決するための手段】
【００１３】
本発明の一態様においては、ＥＰＤＣＣＨで構成されたユーザ機器において使用するための方法が提供され、本方法は、ＥＰＤＣＣＨにおけるＵＥ特有の探索空間に対応するダウンリンク無線リンク品質を測定するステップと、測定されたダウンリンク無線リンク品質を示すためにＥＰＤＣＣＨ  ＣＱＩをサービング基地局に送信するステップとを含む。
【００１４】
有利なことに、ＥＰＤＣＣＨ  ＣＱＩは、構成されたＥＰＤＣＣＨの組の中のＰＲＢ対の望ましい数と、ＰＲＢの位置と、ｅＣＣＥの望ましい集約レベルとを含む。
【００１５】
本発明の別の態様においては、ＥＰＤＣＣＨで構成されたユーザ機器において使用するための方法が提供され、本方法は、ＥＰＤＣＣＨにおけるＵＥ特有の探索空間に対応するダウンリンク無線リンク品質を測定するステップと、測定されたダウンリンク無線リンク品質が所定の条件を満たしていないとき、ＥＰＤＣＣＨ障害インジケータをサービング基地局に送信するステップとを含む。
【００１６】
本発明の別の態様においては、ＥＰＤＣＣＨで構成されたユーザ機器において使用するための方法が提供され、本方法は、ＥＰＤＣＣＨが構成されているサブフレーム上でＰＤＣＣＨにおける共通の探索空間に対応するダウンリンク無線リンク品質を測定するステップと、測定されたダウンリンク無線リンク品質が所定の条件を満たしていないとき、無線リンク障害をトリガするステップとを含む。
【００１７】
本発明の別の態様においては、基地局において使用するための方法が提供され、本方法は、ＥＰＤＣＣＨで構成されたユーザ機器から、ユーザ機器によって測定されるダウンリンク無線リンク品質を示すＥＰＤＣＣＨ  ＣＱＩを受信するステップを含む。
【００１８】
本発明の別の態様においては、基地局において使用するための方法が提供され、本方法は、ＥＰＤＣＣＨで構成されたユーザ機器からＥＰＤＣＣＨ障害インジケータを受信するステップを含む。
【００１９】
本発明の別の態様においては、ＥＰＤＣＣＨで構成されたユーザ機器において使用するための装置が提供され、本装置は、ＥＰＤＣＣＨにおけるＵＥ特有の探索空間に対応するダウンリンク無線リンク品質を測定するように構成された測定ユニットと、測定されたダウンリンク無線リンク品質を示すためにＥＰＤＣＣＨ  ＣＱＩをサービング基地局に送信するように構成された送信ユニットとを備える。
【００２０】
本発明の別の態様においては、ＥＰＤＣＣＨで構成されたユーザ機器において使用するための装置が提供され、本装置は、ＥＰＤＣＣＨにおけるＵＥ特有の探索空間に対応するダウンリンク無線リンク品質を測定するように構成された測定ユニットと、測定されたダウンリンク無線リンク品質が所定の条件を満たしていないとき、ＥＰＤＣＣＨ障害インジケータをサービング基地局に送信するように構成された送信ユニットとを備える。
【００２１】
本発明の別の態様においては、ＥＰＤＣＣＨで構成されたユーザ機器において使用するための装置が提供され、本装置は、ＥＰＤＣＣＨが構成されているサブフレーム上のＰＤＣＣＨにおける共通の探索空間に対応するダウンリンク無線リンク品質を測定するように構成された測定ユニットと、測定されたダウンリンク無線リンク品質が所定の条件を満たしていないとき、無線リンク障害をトリガするように構成されたトリガ・ユニットとを備える。
【００２２】
本発明の別の態様においては、基地局において使用するための装置が提供され、本装置は、ＥＰＤＣＣＨで構成されたユーザ機器から、ダウンリンク無線リンク品質を示すＥＰＤＣＣＨ  ＣＱＩを受信するように構成された受信ユニットを備える。
【００２３】
本発明の別の態様においては、基地局において使用するための装置が提供され、本装置は、ＥＰＤＣＣＨで構成されたユーザ機器からＥＰＤＣＣＨ障害インジケータを受信するように構成された受信ユニットを備える。
【００２４】
本発明は、添付の図面を参照して、さらに詳細に、また例として説明される。
【図面の簡単な説明】
【００２５】
【図１】本発明の一実施形態による、ＥＰＤＣＣＨが構成されるときダウンリンク無線リンク状態をフィードバックする方法のフロー・チャートを示す図である。
【図２】本発明の別の実施形態による、ＥＰＤＣＣＨが構成されるときダウンリンク無線リンク状態をフィードバックする方法のフロー・チャートを示す図である。
【発明を実施するための形態】
【００２６】
上記の図面全体を通して、同様な参照番号は、同様な、類似した、あるいは対応する特徴または機能を指すものと理解されよう。
【００２７】
実例となる実施形態が、以下で説明される。明確にするために、実際の実装形態についての必ずしもすべての特徴が、この明細書において説明されるものとは限らない。そのような任意の実際の実施形態の開発においては、非常に多数の実装形態特有の決定が、システムに関連した制約条件やビジネスに関連した制約条件などに準拠した開発者の特定の目標を達成するために行われるべきであり、これらの制約条件は、実装形態ごとに変化するであろうことを、当然ながら理解されたい。さらに、そのような開発努力は、複雑で、また時間がかかってしまう可能性があるが、それにもかかわらず、本開示の恩恵を受ける当業者にとっての日常的な仕事になるであろうことを理解されたい。
【００２８】
開示された主題は、次に、添付図面を参照して説明される。様々な構造、システムおよびデバイスは、説明の目的のためだけに、また当業者にとってよく知られている説明の詳細をあいまいにしないようにするために、図面の中で概略的に示される。それにもかかわらず、添付された図面は、開示された主題の実例となる例を記述および説明するために含まれている。本明細書において使用される単語および熟語は、関連のある技術分野の当業者によるこれらの単語および熟語の理解と整合した意味を有するものと理解され、また解釈されるべきである。用語または熟語についての特別な定義は、すなわち、当業者によって理解されるような通常の、また慣習となっている意味とは異なる定義は、本明細書における用語または熟語の整合した使用によって意味されることを意図している。用語または熟語が、特別な意味を、すなわち、当業者によって理解される意味以外の意味を有することを意図している程度まで、そのような特別な定義は、用語または熟語についての特別な定義を直接に、またはっきりと提供する定義の方法で明細書において明示的に記載されるであろう。
【００２９】
以下では、本発明の上記態様についての技術的問題解決手法が、非常に詳細に説明されるであろう。以下の実施形態は、ＥＰＤＣＣＨで構成されたＵＥについて言及していることに留意されたい。
【００３０】
一実施形態においては、図１を参照すると、ステップ１１において、ＵＥは、ＥＰＤＣＣＨにおけるＵＳＳに対応するダウンリンク無線リンク品質を測定する。次いで、ステップ１２において、ＵＥは、ＥＰＤＣＣＨ  ＣＱＩをそのサービング基地局（ＢＳ：ｂａｓｅ  ｓｔａｔｉｏｎ）に送信する。ＥＰＤＣＣＨ  ＣＱＩは、測定されたダウンリンク無線リンク品質を示すために使用される。
【００３１】
次に、ステップ１３において、ＢＳは、ＵＥからＥＰＤＣＣＨ  ＣＱＩを受信する。受信されたＥＰＤＣＣＨ  ＣＱＩから、ＢＳは、現在のダウンリンク無線リンク品質を知ることができ、また必要に応じて、リンク適応を実行し、またはＥＰＤＣＣＨ送信を再構成することができる。
【００３２】
ＥＰＤＣＣＨ  ＣＱＩは、例えば、ＰＲＢ対のＵＥの望ましい数「Ｋ」と、ｅＣＣＥの望ましい集約レベル「Ｌ」とを含むことができる。一例においては、「Ｋ」と「Ｌ」との値は、１％のＢＬＥＲ（ブロック・エラー・レート（ｂｌｏｃｋ  ｅｒｒｏｒ  ｒａｔｅ））が達成されることに基づいて設計されることもある。
【００３３】
ＥＰＤＣＣＨの変調（ｅＣＣＥ）は、より堅牢であり、より小さなＢＬＥＲをもたらすので、この実施形態の問題解決手法は、より低減されたＲＬＦを可能にする。さらに、ＰＤＣＣＨについてのＣＱＩの欠如とは違って、ＥＰＤＣＣＨは、レガシーＰＤＣＣＨに比べてＥＰＤＣＣＨについてのずっと多く最適化された適応を容易にするＣＱＩを有している。
【００３４】
別の実施形態においては、図２を参照すると、ステップ２１において、ＵＥは、ＥＰＤＣＣＨにおけるＵＳＳに対応するダウンリンク無線リンク品質を測定する。次いで、ステップ２２において、測定されたダウンリンク無線リンク品質が所定の条件を満たしていない（すなわち、ＵＳＳを復号することの失敗の）とき、ＵＥは、ＥＰＤＣＣＨ障害インジケータをサービング基地局（ＢＳ）に送信する。代わりに、ＵＳＳを復号することの失敗を認識するとすぐに、ＵＥは、接続再確立を開始し、次いでＲＬＦをＢＳに対して報告することができる。
【００３５】
測定されたダウンリンク無線リンク品質が、所定の条件を満たしていないという状況は、ＥＰＤＣＣＨ送信のＢＬＥＲが、所定のＢＬＥＲしきい値を超過していることとすることができる。
【００３６】
次に、ステップ２３において、ＢＳは、ＵＥからＥＰＤＣＣＨ障害インジケータを受信する。受信されたＥＰＤＣＣＨ障害インジケータから、ＢＳは、現在のダウンリンク無線リンク品質が、良好ではなく、またリンク適応を実行することができることを知ることができる。
【００３７】
上記の２つの実施形態を用いて、ＥＰＤＣＣＨにおけるＵＳＳの復号が絶えず失敗し、ネットワークが無線リンクを終端させることができないというシナリオは、効果的に防止される可能性がある。
【００３８】
ＥＰＤＣＣＨにおけるＵＳＳが、ダウンリンク無線リンク状態をフィードバックするために監視される場合の上記の２つの実施形態の他に、さらなる一実施形態においては、ＰＤＣＣＨにおけるＣＳＳの復号が失敗するとき、ＵＥは、ＰＤＣＣＨにおけるＣＳＳを復号し、ＲＬＦをトリガすることができるだけである。
【００３９】
上記で説明された実施形態は、本発明を限定するのではなくて、説明するために与えられることに留意すべきであり、修正形態と変形形態とは、当業者なら容易に理解するように、本発明の趣旨および範囲を逸脱することなく、用いられ得ることを理解すべきである。そのような修正形態と変形形態とは、本発明の範囲と、添付の特許請求の範囲との内部にあるように考えられる。本発明の保護の範囲は、添付の特許請求の範囲によって規定される。さらに、特許請求の範囲の中の参照番号のうちのどのようなものも、特許請求の範囲に対する限定として解釈されるべきではない。動詞「備える／含む（ｃｏｍｐｒｉｓｅ）」と、その結合との使用は、請求項において述べられる要素またはステップ以外の要素またはステップの存在を除外するものではない。要素またはステップに先行する不定冠詞「１つの（ａ）」または「１つの（ａｎ）」は、複数のそのような要素またはステップの存在を除外するものではない。
【図１】
2016504842.tif 000003
【図２】
2016504842.tif 000004
【国際調査報告】
2016504842.tif 000005
2016504842.tif 000006